(57)【要約】【課題】本発明は、従来と比較して集塵フィルタのろ材のビード状の樹脂を形成された部分を減らし、ろ材の有効面積が増え優れた空気の汚れ除去を発揮することができる空気清浄機を提供する。【解決手段】本発明の空気清浄機用集塵フィルタは、空気清浄機の送風部の吸込力の少ない場所は大きい場所と比較してビード状の樹脂の間隔を広げたり、またはビードの幅を細くした。【選択図】図７
2017018928.tif 000002
【特許請求の範囲】
【請求項１】
空気清浄機の送風部の吸込力の少ない部分は大きい部分と比較してビード状の樹脂の間隔を広げたり、またはビードの幅を細くしたことを特徴とする空気清浄機用集塵フィルタ。
【請求項２】
請求項１に記載の空気清浄機の集塵フィルタにおいて、空気清浄機の送風部の吸込力の少ない部分は大きい部分と比較してビード状の樹脂の一部を無くしたことを特徴とする空気清浄機用集塵フィルタ。
【請求項３】
遠心ファンやスクロールを有する送風機構を備える空気清浄機内で、かつ前記送風機構に対向して取り付けられる空気清浄機用集塵フィルタにおいて、前記遠心ファンと対向しない場所のビード状の樹脂は、前記遠心ファンと対向する場所のビードの樹脂よりも、幅が細い又は隣合うビードの樹脂との間隔が広いことを特徴とする空気清浄機用集塵フィルタ。
【請求項４】
請求項３に記載の空気清浄機用集塵フィルタにおいて、
前記吸込み力が小さい場所は大きい場所と比較してビード状の樹脂の一部がないことを特徴とする空気清浄機用集塵フィルタ。
【発明の詳細な説明】
【技術分野】
【０００１】
本発明は、空気清浄機用集塵フィルタ及びそれを用いた空気清浄機に関する。
【背景技術】
【０００２】
従来、空気清浄機などに使用される集塵フィルタは、集塵用のろ材の面積確保の為、不織布などのシート、またはロール状の素材をプリーツ状に折り曲げ加工し使用する。折り曲げ加工時に、プリーツ状に折り曲げた部分同士が密着すると、その部分が無効となり性能低下となる恐れがある。これを解決する為、プリーツと直角方向にビード状の樹脂で固定する方法がある。特許文献１には、シート状の素材がプリーツ状に折り曲げ加工され、その表裏面に、プリーツと直角方向に延びるビードを所定の間隔で形成したエアフィルタ用ろ材において、前記ろ材のエア流入側に向く表面側のビードの間隔を、エア流出側に向く裏面側のビードの間隔よりも広くしているフィルタが記載されている。
【先行技術文献】
【特許文献】
【０００３】
【特許文献１】特開２００２−２３３７２４号公報
【発明の概要】
【発明が解決しようとする課題】
【０００４】
しかしながら、特許文献１に記載のフィルタでは、プリーツと直角方向に伸びるビード状の樹脂を所定の間隔で使用するため、ビード状の樹脂を形成された部分のろ材は風が通過しなくなり無効となり、集塵性能を十分発揮できない恐れがある。
【０００５】
そこで、本発明の課題は、集塵性能をより発揮することができる空気清浄機用集塵フィルタを提供することにある。
【課題を解決するための手段】
【０００６】
前記課題を解決するため、本発明では、空気清浄機用集塵フィルタは、空気清浄機の送風部の吸込力の大きい場所と少ない場所に合わせてビード状の樹脂の間隔、またはビードの幅を変えることを特徴とする。
【０００７】
または、空気清浄機の送風部の吸込力の少ない部分は大きい部分と比較してビード状の樹脂の間隔を広げたり、またはビードの幅を細くしたことを特徴とする。
【０００８】
または、遠心ファンやスクロールを有する送風機構を備える空気清浄機内で、かつ前記送風機構に対向して取り付けられる空気清浄機用集塵フィルタにおいて、前記遠心ファンと対向しない場所のビード状の樹脂は、前記遠心ファンと対向する場所のビードの樹脂よりも、幅が細い又は隣合うビードの樹脂との間隔が広いことを特徴とする。
【０００９】
この空気清浄機用集塵フィルタでは、空気清浄機の送風部の吸込力の少ない場所は大きい場所と比較してビード状の樹脂の間隔を広げたり、またはビードの幅を細くしたので、ビード状の樹脂を所定の間隔で配置した従来の空気清浄機の集塵フィルタと比べて、よりビード状の樹脂を形成された部分を少なくなる為、ろ材の有効面積が増え、集塵性能をより発揮することができる。
【発明の効果】
【００１０】
本発明によれば、従来と比較して空気清浄機の送風部の吸込力の少ない場所は大きい場所と比較してビード状の樹脂の間隔を広げたり、またはビードの幅を細くしたことにより、ビード状の樹脂を所定の間隔で配置した従来の空気清浄機用集塵フィルタと比べて、よりビード状の樹脂を形成された部分を少なくなり、ろ材の有効面積が増え、汚れを除去する性能を発揮することができる空気清浄機用集塵フィルタを提供することができる。
【図面の簡単な説明】
【００１１】
【図１】本発明の実施形態に係る空気清浄機の外観斜視図である。
【図２】本発明の実施形態に係る空気清浄機の分解斜視図である。
【図３】本発明の実施形態に係る空気清浄機を背面から見た際の構成を示す外観斜視図である。
【図４】本発明の実施形態に係る空気清浄機の内部構造をその左側面から見た際の風路を模式的に示す構成説明図である。
【図５】従来の空気清浄機用集塵フィルタを示す外観斜視図である。
【図６】従来の空気清浄機用集塵フィルタの内部構造をその左側面から見た際の構成説明図である。
【図７】本発明の実施形態に係る集塵フィルタを示す外観斜視図である。
【発明を実施するための形態】
【００１２】
以下に、本発明の実施形態について適宜図面を参照しながら詳細に説明する。
【００１３】
図１は、本発明の実施形態に係る空気清浄機１の外観斜視図である。図２は、空気清浄機１の分解斜視図である。
【００１４】
＜空気清浄機の全体構成＞
図１及び図２に示すように、本実施形態に係る空気清浄機１は、フロントパネル４ａと、一対のサイドパネル４ｂ，４ｂ（図１には、左側のサイドパネル４ｂのみ図示）と、アッパケース４ｃと、リアパネル４ｄと、を備えてハウジング４が形成されている。
【００１５】
このハウジング４は、水タンク２０が引き出し可能に収容されるタンクベース６と、これに取り付けられるリアケース４ｅ（図２参照）とを介して組み立てられている。
【００１６】
なお、左側のサイドパネル４ｂには、加湿フィルタ３をハウジング４から取り出す際の開閉蓋４ｆが設けられている。また、図１及び図２中、符号７は、開閉角度の調節可能な後記するフラップである。ちなみに、このフラップ７は、後縁側を軸にして前縁側が持ち上がるように回動して開く構成となっている。
【００１７】
図２に示すように、空気清浄機１のハウジング４内には、リアパネル４ｄ側からフロントパネル４ａ側に向かって、浄化フィルタユニット８と、加湿フィルタ３と、送風機構１０と、がこの順番で配置されている。
【００１８】
浄化フィルタユニット８は、プレフィルタ８ａと、集塵フィルタ８ｂと、脱臭フィルタ８ｃとで主に構成され、送風機構１０は、遠心ファン１１と、スクロール１２と、モータ１３とで主に構成されている。
【００１９】
なお、このハウジング４内には、後記する送風機構１０の遠心ファン１１が回転することによって、リアパネル４ｄの両側縁部の吸込み口４ｇ，４ｇからハウジング４の外部の空気が流入する。そして、この空気流は、浄化フィルタユニット８と、加湿フィルタ３と、をこの順番で流通する。その後、空気は、遠心ファン１１が収納されるスクロール１２の上部開口からフラップ７を介して空気清浄機１のハウジング４外に送り出される。
【００２０】
浄化フィルタユニット８は、リアパネル４ｄ側からフロントパネル４ａ側に向かって、プレフィルタ８ａと、集塵フィルタ８ｂと、脱臭フィルタ８ｃと、がこの順番で配置されて構成されている。
【００２１】
プレフィルタ８ａは、綿ゴミ等の比較的大きなゴミを捕集するものである。集塵フィルタ８ｂは、チリ、ホコリ、花粉等の比較的小さな微粒子を捕集するものである。脱臭フィルタ８ｃは、臭いの元となる化学物質を吸着するものである。
【００２２】
加湿フィルタ３は、これを流通する空気の湿度を高めるものである。
【００２３】
送風機構１０は、スクロール１２内に配置される遠心ファン１１と、この遠心ファン１１を回転させるモータ１３とを備えて構成されている。
【００２４】
この送風機構１０は、前記したように、遠心ファン１１が回転することにより、リアパネル４ｄの吸込み口４ｇ，４ｇから導入した空気を浄化フィルタユニット８及び加湿フィルタ３に流通させた後、フラップ７を介してハウジング４外に送り出す。
【００２５】
次に、空気清浄機１の吸込み口４ｇ，４ｇについて説明する。
吸込み口４ｇ，４ｇは、図３に示すように、リアパネル４ｄに配置しており、リアパネル４ｄは集塵フィルタ８ｂと、脱臭フィルタ８ｃを交換する時に外せる構造となっている。
【００２６】
図４は、本発明の実施形態に係る空気清浄機１の内部構造を左側面から見た際の風路を模式的に示す構成説明図である。
【００２７】
この構造により送風機構１０付近の吸込み力が大きい為、浄化フィルタユニット８も送風機構１０付近が吸込み力が大きくなる。すなわち図３、図４より送風機構１０は浄化フィルタユニット８の左右方向で中心、上下方向でやや下面に配置されており、その付近(ａに指示する範囲)の吸込み力が最も大きい。
【００２８】
図５は従来の集塵フィルタを示す斜視図であり、図６は、従来の集塵フィルタの断面図である。従来の集塵フィルタ８ｂは、プリーツ状に折り曲げたろ材２３と、ろ材２３を係止するためにプリーツと直角方向に伸びるビード状の樹脂２４と、ろ材２３の外周を紙枠２５で構成するものであり、ビード状の樹脂２４は、ろ材２３のプリーツを所定の間隔で固定していた。
【００２９】
図７は、本実施形態における集塵フィルタ８ｂを示す斜視図である。集塵フィルタ８ｂと従来の集塵フィルタとはビード状の樹脂の固定が異なる。前述のように、集塵フィルタ８ｂは、空気清浄機の送風部に対向して配置される。集塵フィルタ８ｂが空気清浄機の送風部に対向して配置された際に、ろ材２３の中で送風部の吸い込み力が最も大きい部分と対向する部分にビード状の樹脂が来るようにビード状の樹脂２４を配置し、吸い込み力が比較的小さい部分にはビード状の樹脂２４を配置しないようにしている。具体的には、ろ材２３の左右方向の中心近傍に上下方向の端部から端部まで亘るビード状の樹脂２４を２本配置し、その２本とは間隔を離して短いビード２４を配置、さらにその脇に短いビード２４を配置している。
【００３０】
吸い込み力が大きい部分と対向する部分は、遠心ファン１１やスクロール１２における遠心ファン１１が収納されるところなど送風機構１０における吸い込み側が位置する部分と対向する部分である。集塵フィルタ８ｂにおいて、吸込み力が大きい場所に対向するところは、強度を要する。
【００３１】
対して、送風機構における吸込み側が位置するような吸込み力が大きい部分と比較して、吸込み力が小さい部分は、送風機構１０が無い場所や、スクロール１２における遠心ファン１１が収納されていないところなどの送風機構１０における吸い込み側が位置する部分と対向していない部分である。集塵フィルタ８ｂの強度をそれほど要さない吸い込み力が小さい部分にはビード状の樹脂の数を減らしたり、太さを変えたりしても従来のフィルタの強度と変わりない集塵フィルタ８ｂを提供することができる。さらに、吸込み力が小さい部分のビード状の樹脂の数を減らしたり、太さを変えたりすることで、集塵フィルタ８ｂとしての空気の通り道を邪魔するビード状の樹脂２４の全体としての量が減るため、ろ材２３を集塵フィルタ８ｂとして使う場合の有効面積を増やすことができる。有効面積を増やすことで、汚れを除去する性能を向上させることができる。さらに、ビード状の樹脂２４の使用量を減らすことができるため、材料の低減という効果を奏することができる。
【００３２】
以上、本発明の実態形態について説明したが、本発明は前記実施形態に限定されず、数々の他の形態で実施することができる。空気清浄機１の送風部の吸込力の少ない場所は大きい場所と比較し、ビード状の樹脂２４の間隔を広げたが、ビード状の樹脂２４の幅を細くしたり、一部無くすことにより、同じ様にビード状の樹脂２４を形成された部分を少なくし、ろ材２３の有効面積が増え、汚れを除去する性能を発揮することができる。
【符号の説明】
【００３３】
１      空気清浄機
２      給水機構
３      加湿フィルタ
４      ハウジング
４ａ    フロントパネル
４ｂ    サイドパネル
４ｃ    アッパケース
４ｄ    リアパネル
４ｆ    開閉蓋 
６      タンクベース
７      フラップ
８      浄化フィルタユニット
８ａ    プレフィルタ
８ｂ    集塵フィルタ
８ｃ    脱臭フィルタ
１０    送風機構
１１    遠心ファン
１２    スクロール
１３    モータ
２０    水タンク
２１    ポンプ
２３    ろ材
２４    ビード状の樹脂
２５    紙枠
【図１】
2017018928.tif 000003
【図２】
2017018928.tif 000004
【図３】
2017018928.tif 000005
【図４】
2017018928.tif 000006
【図５】
2017018928.tif 000007
【図６】
2017018928.tif 000008
【図７】
2017018928.tif 000009